(57)【特許請求の範囲】
【請求項１】
しきい値が等しい第１及び第２のコンパレータと、
前記第１及び第２のコンパレータから出力される出力信号に基づいて、Ｈレベルの１パルス信号で構成されるリンクパルスが含まれている正相の相補入力信号を内部回路に出力する制御部と
を備えた極性自動判定修正装置であって、
前記第１及び第２のコンパレータのしきい値は、前記相補入力信号の中間レベルから高電位側若しくは低電位側のいずれかに偏位されており、
前記第１のコンパレータにおける反転入力端子及び前記第２のコンパレータにおける非反転入力端子には正相信号若しくは逆相信号の何れか一方の信号が入力される第１の配線が接続されており、
前記第１のコンパレータにおける非反転入力端子及び前記第２のコンパレータにおける反転入力端子には正相信号若しくは逆相信号の何れか一方の信号であって、かつ前記第１の配線に入力される信号とは異なる信号が入力される第２の配線が接続されており、
前記制御部は、前記第１及び第２のコンパレータより出力される出力信号から、前記リンクパルスが含まれている出力信号を選択して前記正相の相補入力信号として出力することを特徴とする極性自動判定修正装置。
【請求項２】
前記極性自動判定修正装置は、ケーブルを介して接続されるコンピュータに設けられ、前記相補入力信号は、前記ケーブルをコンピュータに接続するコネクタを介して前記コンパレータに入力されることを特徴とする請求項１に記載の極性自動判定修正装置。
【発明の詳細な説明】
【０００１】
【発明の属する技術分野】
本発明は極性自動判定修正装置に係り、詳しくは、ケーブルと各種コンピュータとの接続における両極反転接続ミスを自動判定・自動修正を行う極性自動判定修正装置に関する。
【０００２】
近年、同一建物内、あるいは同一敷地内などの比較的狭い地域に分散配置された各種コンピュータを結ぶ構内ネットワークシステム、いわゆるＬＡＮ（Ｌｏｃａｌ  Ａｒｅａ  Ｎｅｔｗｏｒｋ）が多く用いられるようになってきた。その中で、このネットワーク構築における低コスト化が図られており、各種コンピュータを結ぶケーブルは、比較的安価で、既設されたケーブルが使用できるなどの理由により、より対線よりなる１０ＢＡＳＥ−Ｔ、１００ＢＡＳＥ−Ｔ等が主流となっている。一方、各種コンピュータには、ネットワーク構築時における前記ケーブルとの両極反転接続ミスを自動判定・自動修正を行う回路が備えられている。そして、該回路の小型化、低コスト化等が要求されている。
【０００３】
【従来の技術】
図５は、従来の極性自動判定修正装置を示す。極性自動判定修正装置２０は、各種コンピュータのネットワークからの信号を入力する信号入力部に備えられる。各種コンピュータに接続されたケーブル２１は、より対線、即ちプラス線Ｌ１及びマイナス線Ｌ２よりなる例えば１０ＢＡＳＥ−Ｔ、１００ＢＡＳＥ−Ｔであって、正常接続されている場合にはコネクタ２２を介してプラス線Ｌ１が第３及び第４のコンパレータ２３，２４の非反転入力端子ＩＮ１，ＩＮ３にそれぞれ接続される。又、ケーブル２１のマイナス線Ｌ２は、コネクタ２２を介して各コンパレータ２３，２４の反転入力端子ＩＮ２，ＩＮ４にそれぞれ接続される。
【０００４】
ネットワークからコネクタ２２を介して入力される信号は、図６に示すようにリンクパルスＲＰ及びデータＤを含む相補入力信号Ｓ，ＸＳであって、前記コンパレータ２３，２４の非反転入力端子ＩＮ１，ＩＮ３には入力信号Ｓがそれぞれ入力され、反転入力端子ＩＮ２，ＩＮ４には反転入力信号ＸＳがそれぞれ入力される。ちなみに、このリンクパルスＲＰとは、ネットワークに接続されているか否かをチェックするＨレベルの１パルス信号である。又、データＤに続いて、１フレームのデータＤの終わりを示すＥＯＦ（エンド・オフ・フレーム）が入力される。このＥＯＦは、データＤのパルス幅の３倍ほどのパルス幅でＨレベルとなる信号である。
【０００５】
両コンパレータ２３，２４は、各入力端子ＩＮ１〜ＩＮ４に入力される相補入力信号Ｓ，ＸＳの差分をとった差動信号ＳＳに基づく出力信号ＯＵＴ１，ＯＵＴ２を制御部２５に出力する。差動信号ＳＳは、図７に示すように通信していないとき（アイドル状態）にはＬレベルとＨレベルとの中間レベルである。前記第３のコンパレータ２３のしきい値Ｖｔｈ１  は、その中間レベルよりも高く設定され、前記第４のコンパレータ２４のしきい値Ｖｔｈ２  は、中間レベルよりも低く設定されている。従って、アイドル状態において差動信号ＳＳが中間レベルとなっても両コンパレータ２３，２４の発振が防止される。
【０００６】
ネットワークがアイドル状態、即ち前記差動信号ＳＳが中間レベルのとき、第３のコンパレータ２３は、その中間レベルの差動信号ＳＳに基づいてＬレベルの出力信号ＯＵＴ１を出力する。第４のコンパレータ２４は、同じく中間レベルの差動信号ＳＳに基づいてＨレベルの出力信号ＯＵＴ２を出力する。
【０００７】
このとき、リンクパルスＲＰがＨレベルの１パルス信号として両コンパレータ２３，２４に入力されると、第４のコンパレータ２４は、アイドル状態と同様にＨレベルの出力信号ＯＵＴ２を出力し、第３のコンパレータ２３は、Ｈレベルの１パルス信号を出力信号ＯＵＴ１として出力する。制御部２５は、第３のコンパレータ２３からの１パルス信号に基づいて、リンクパルスＲＰが入力されたこと及びコネクタ２２にてケーブル２１の極性が正常に接続されていることを判定する。
【０００８】
又、データＤとなる差動信号ＳＳが両コンパレータ２３，２４に入力されると、両コンパレータ２３，２４は、該差動信号ＳＳに対応した出力信号ＯＵＴ１，ＯＵＴ２を制御部２５に出力する。制御部２５は、前記判定結果に基づいて第３のコンパレータ２３の出力信号ＯＵＴ１をデータＤとして内部回路に出力する。上記したようにデータＤの終わりを示すＨレベルのＥＯＦが入力されると、制御部２５は、このＨレベルのＥＯＦによってもコネクタ２２にてケーブル２１の極性が正常に接続されていると判定でき、第３のコンパレータ２３から出力されたデータＤをそのまま内部回路に出力する。
【０００９】
一方、図５に示すように、ケーブル２１がコネクタ２２にて反転接続、即ちプラス線Ｌ１が第３及び第４のコンパレータ２３，２４の反転入力端子ＩＮ２，ＩＮ４に接続され、又、マイナス線Ｌ２は、各コンパレータ２３，２４の非反転入力端子ＩＮ１，ＩＮ３にそれぞれ接続されると、ネットワークからコネクタ２２を介して入力される信号は、図８に示すように反転された相補入力信号ＸＳ，Ｓが入力される。つまり、各コンパレータ２３，２４の非反転入力端子ＩＮ１，ＩＮ３には反転入力信号ＸＳが入力され、反転入力端子ＩＮ２，ＩＮ４には入力信号Ｓが入力される。そして、各コンパレータ２３，２４は、反転された相補入力信号ＸＳ，Ｓの差分をとった反転差動信号ＸＳＳに基づいて出力信号ＯＵＴ１，ＯＵＴ２を制御部２５に出力する。
【００１０】
図９に示すように、ネットワークがアイドル状態、即ち前記反転差動信号ＸＳＳが中間レベルのとき、正常接続と同様に第３のコンパレータ２３は、その中間レベルの反転差動信号ＸＳＳに基づいてＬレベルの出力信号ＯＵＴ１を出力する。第４のコンパレータ２４は、同じく中間レベルの反転差動信号ＸＳＳに基づいてＨレベルの出力信号ＯＵＴ２を出力する。
【００１１】
このとき、リンクパルスＲＰがＬレベルの１パルス信号として両コンパレータ２３，２４に入力されると、第３のコンパレータ２３は、アイドル状態と同様にＬレベルの出力信号ＯＵＴ１を出力し、第４のコンパレータ２４は、Ｌレベルの１パルス信号を出力信号ＯＵＴ２として出力する。制御部２５は、第４のコンパレータ２４からの１パルス信号に基づいて、リンクパルスＲＰが入力されたこと及びコネクタ２２にてケーブル２１の極性が反転して接続されていることを判定する。
【００１２】
又、データＤとなる反転差動信号ＸＳＳが両コンパレータ２３，２４に入力されると、両コンパレータ２３，２４は、該反転差動信号ＸＳＳに対応した出力信号ＯＵＴ１，ＯＵＴ２を制御部２５に出力する。制御部２５は、前記判定結果に基づいて第４のコンパレータ２４の出力信号ＯＵＴ２を該回路２５に備えられたデータ反転回路（図示しない）を介して反転しデータＤとして内部回路に出力する。上記したようにデータＤの終わりを示すＬレベルのＥＯＦが入力されると、制御部２５は、このＬレベルのＥＯＦによってもコネクタ２２にてケーブル２１の極性が反転して接続されていると判定でき、第４のコンパレータ２４から出力されたデータＤを前記データ反転回路を介して反転して内部回路に出力する。
【００１３】
従って、前記制御部２５は、第３のコンパレータ２３から出力信号ＯＵＴ１としてＨレベルのリンクパルスＲＰ又はデータＤに含まれるＨレベルのＥＯＦが入力されると、コネクタ２２にてケーブル２１の極性が正常に接続されていると判定し、該データＤをそのまま内部回路に出力する。又、前記制御部２５は、第４のコンパレータ２４から出力信号ＯＵＴ２としてＬレベルのリンクパルスＲＰ又はデータＤに含まれるＬレベルのＥＯＦが入力されると、コネクタ２２にてケーブル２１の極性が反転して接続されていると判定し、該データＤを反転させて内部回路に出力する。このようにして、極性自動判定修正装置２０は、コネクタ２２によるケーブル２１と各種コンピュータとの両極反転接続ミスの自動判定・自動修正を行っている。
【００１４】
【発明が解決しようとする課題】
ところが、上記したように各コンパレータ２３，２４は、それぞれ異なったしきい値Ｖｔｈ１  ，Ｖｔｈ２  を必要とする。一般的にコンパレータは特殊セルで構成され、最適なしきい値Ｖｔｈ１  ，Ｖｔｈ２  を備えた各コンパレータ２３，２４をそれぞれ設計するためには、多くの開発時間が必要となる。従って、開発コストが上昇するという問題がある。
【００１５】
又、制御部２５は、コネクタ２２にてケーブル２１の極性が反転して接続されていると判定すると、データＤを反転して内部回路に出力しなければならず、該制御部２５内部にデータ反転回路を備える必要があり、該制御部２５が大型化するという問題もある。
【００１６】
本発明は上記問題点を解決するためになされたものであって、その目的は、回路面積を縮小し、かつ開発コストを低減し得る極性自動判定修正装置を提供することにある。
【００１７】
【課題を解決するための手段】
請求項１の発明によれば、図１の本発明の原理説明図に示すように、しきい値が等しい第１及び第２のコンパレータ３，４と、前記第１及び第２のコンパレータ３，４から出力される出力信号に基づいて、Ｈレベルの１パルス信号で構成されるリンクパルスが含まれている正相の相補入力信号Ｓ，ＸＳを内部回路に出力する制御部２とが備えられる。前記第１及び第２のコンパレータ３，４のしきい値は、前記相補入力信号Ｓ，ＸＳの中間レベルから高電位側若しくは低電位側のいずれかに偏位されており、前記第１のコンパレータ３における反転入力端子ＩＮ２及び前記第２のコンパレータ４における非反転入力端子ＩＮ３には正相信号若しくは逆相信号の何れか一方の信号が入力される第１の配線が接続されており、前記第１のコンパレータ３における非反転入力端子ＩＮ１及び前記第２のコンパレータ４における反転入力端子ＩＮ４には正相信号若しくは逆相信号の何れか一方の信号であって、かつ前記第１の配線に入力される信号とは異なる信号が入力される第２の配線が接続されており、前記制御部２は、前記第１及び第２のコンパレータ３，４より出力される出力信号ＯＵＴ１，ＯＵＴ２から、前記リンクパルスが含まれている前記出力信号を選択して前記正相の相補入力信号Ｓ，ＸＳとして出力する。
【００２０】
請求項２の発明は、前記極性自動判定修正装置は、ケーブルを介して接続されるコンピュータに設けられ、前記相補入力信号は、前記ケーブルをコンピュータに接続するコネクタを介して前記コンパレータに入力される。
【００２１】
（作用）
請求項１の発明によれば、しきい値が相補入力信号の中間レベルから高電位側若しくは低電位側のいずれかに偏位され、等しく構成された第１及び第２のコンパレータには、正相、逆相の相補入力信号がそれぞれ入力される。具体的には、第１のコンパレータにおける反転入力端子及び第２のコンパレータにおける非反転入力端子には正相信号若しくは逆相信号の何れか一方の信号が入力される第１の配線が接続されており、第１のコンパレータにおける非反転入力端子及び第２のコンパレータにおける反転入力端子には正相信号若しくは逆相信号の何れか一方の信号であって、かつ第１の配線に入力される信号とは異なる信号が入力される第２の配線が接続されている。制御部は、前記第１及び第２のコンパレータより出力される出力信号から、リンクパルスが含まれている出力信号を選択して正相の相補入力信号として出力する。
【００２５】
請求項２の発明によれば、第１及び第２のコンパレータには、相補入力信号がケーブルをコンピュータに接続するコネクタを介して入力される。制御部は、第１及び第２のコンパレータの出力信号から該相補入力信号の正相信号と同相の信号を選択して出力する。
【００２６】
【発明の実施の形態】
以下、本発明を具体化した一実施の形態を図２〜図４に従って説明する。
尚、説明の便宜上、従来に示した図５〜図９と同様の構成及び信号名については同一の符号を付してその詳細な説明を省略する。
【００２７】
図２は、本実施の形態の極性自動判定修正装置を示す。極性自動判定修正装置１０は、第１及び第２のコンパレータ２４ａ，２４ｂを備えている。両コンパレータ２４ａ，２４ｂは、前記第４のコンパレータ２４と同一構成であって、しきい値Ｖｔｈ２  が中間レベルよりも低く設定されている。
【００２８】
上記したより対線よりなるケーブル２１は、正常接続されている場合にはコネクタ２２を介してプラス線Ｌ１が第１のコンパレータ２４ａの非反転入力端子ＩＮ１に接続されるとともに第２のコンパレータ２４ｂの反転入力端子ＩＮ４に接続される。又、ケーブル２１のマイナス線Ｌ２は、第１のコンパレータ２４ａの反転入力端子ＩＮ２に接続されるとともに第２のコンパレータ２４ｂの非反転入力端子ＩＮ３に接続される。つまり、第１のコンパレータ２４ａにはネットワークからコネクタ２２を介して相補入力信号Ｓ，ＸＳが入力されるとともに、第２のコンパレータ２４ｂには反転した相補入力信号ＸＳ，Ｓが入力される。従って、第１のコンパレータ２４ａは差動信号ＳＳに基づく出力信号ＯＵＴ１を制御部１１に出力し、第２のコンパレータ２４ｂは、差動信号ＳＳが反転された反転差動信号ＸＳＳに基づく出力信号ＯＵＴ２を該制御部１１に出力する。
【００２９】
図３に示すように、ネットワークがアイドル状態、即ち前記差動信号ＳＳ及び反転差動信号ＸＳＳが中間レベルのとき、第１のコンパレータ２４ａは、中間レベルの差動信号ＳＳに基づいてＨレベルの出力信号ＯＵＴ１を出力する。第２のコンパレータ２４ｂは、中間レベルの反転差動信号ＸＳＳに基づいて同じくＨレベル出力信号ＯＵＴ２を出力する。
【００３０】
このとき、リンクパルスＲＰがＨレベルの１パルス信号として第１のコンパレータ２４ａに入力されると、該コンパレータ２４ａは、アイドル状態と同様にＨレベルの出力信号ＯＵＴ１を出力する。一方、第２のコンパレータ２４ｂには前記差動信号ＳＳの反転された反転差動信号ＸＳＳ、即ちＬレベルの１パルス信号が入力され、該コンパレータ２４ｂは、Ｌレベルの１パルス信号を出力信号ＯＵＴ２として出力する。制御部１１は、第２のコンパレータ２４ｂからの１パルス信号に基づいて、リンクパルスＲＰが入力されたこと及びコネクタ２２にてケーブル２１の極性が正常に接続されていることを判定する。
【００３１】
又、データＤとなる差動信号ＳＳ及び反転差動信号ＸＳＳがコンパレータ２４ａ，２４ｂにそれぞれ入力されると、両コンパレータ２４ａ，２４ｂは、差動信号ＳＳ及び反転差動信号ＸＳＳに対応した出力信号ＯＵＴ１，ＯＵＴ２を制御部１１に出力する。制御部１１は、前記判定結果に基づいて第１のコンパレータ２４ａの出力信号ＯＵＴ１をデータＤとして内部回路に出力する。データＤの終わりを示すＥＯＦ、即ちデータＤのパルス幅の３倍ほどのパルス幅でＨレベルとなる差動信号ＳＳが第１のコンパレータ２４ａに入力されると、該コンパレータ２４ａは、Ｈレベルの出力信号ＯＵＴ１を出力し続ける。一方、第２のコンパレータ２４ｂに前記差動信号ＳＳの反転された反転差動信号ＸＳＳ、即ちデータＤのパルス幅の３倍ほどのパルス幅でＬレベルとなる反転差動信号ＸＳＳが入力されると、該コンパレータ２４ｂは、データＤのパルス幅の３倍のパルス幅でＬレベルのＥＯＦを出力信号ＯＵＴ２として出力する。第２のコンパレータ２４ｂからデータＤの終わりを示すＬレベルのＥＯＦが入力されると、制御部１１は、このＬレベルのＥＯＦによってもコネクタ２２にてケーブル２１の極性が正常に接続されていると判定でき、第１のコンパレータ２４ａから出力されたデータＤをそのまま内部回路に出力する。
【００３２】
一方、図４に示すように、ケーブル２１がコネクタ２２にて反転接続されると、プラス線Ｌ１が第１のコンパレータ２４ａの反転入力端子ＩＮ２に接続されるとともに第２のコンパレータ２４ｂの非反転入力端子ＩＮ３に接続される。又、ケーブル２１のマイナス線Ｌ２は、第１のコンパレータ２４ａの非反転入力端子ＩＮ１に接続されるとともに第２のコンパレータ２４ｂの反転入力端子ＩＮ４に接続される。つまり、第１のコンパレータ２４ａにはネットワークからコネクタ２２を介して反転した相補入力信号ＸＳ，Ｓが入力されるとともに、第２のコンパレータ２４ｂには相補入力信号Ｓ，ＸＳが入力される。従って、第１のコンパレータ２４ａは差動信号ＳＳが反転された反転差動信号ＸＳＳに基づく出力信号ＯＵＴ１を制御部１１に出力し、第２のコンパレータ２４ｂは、差動信号ＳＳに基づく出力信号ＯＵＴ２を該制御部１１に出力する。
【００３３】
ネットワークがアイドル状態、即ち前記差動信号ＳＳ及び反転差動信号ＸＳＳが中間レベルのとき、第１のコンパレータ２４ａは、中間レベルの反転差動信号ＸＳＳに基づいてＨレベルの出力信号ＯＵＴ１を出力する。第２のコンパレータ２４ｂは、中間レベルの差動信号ＳＳに基づいて同じくＨレベル出力信号ＯＵＴ２を出力する。
【００３４】
このとき、リンクパルスＲＰがＨレベルの１パルス信号として第２のコンパレータ２４ｂに入力されると、該コンパレータ２４ｂは、アイドル状態と同様にＨレベルの出力信号ＯＵＴ２を出力する。一方、第１のコンパレータ２４ａには前記差動信号ＳＳの反転された反転差動信号ＸＳＳ、即ちＬレベルの１パルス信号が入力され、該コンパレータ２４ａは、Ｌレベルの１パルス信号を出力信号ＯＵＴ１として出力する。制御部１１は、第１のコンパレータ２４ａからの１パルス信号に基づいて、リンクパルスＲＰが入力されたこと及びコネクタ２２にてケーブル２１の極性が反転して接続されていることを判定する。
【００３５】
又、データＤとなる反転差動信号ＸＳＳ及び差動信号ＳＳがコンパレータ２４ａ，２４ｂにそれぞれ入力されると、両コンパレータ２４ａ，２４ｂは、反転差動信号ＸＳＳ及び差動信号ＳＳに対応した出力信号ＯＵＴ１，ＯＵＴ２を制御部１１に出力する。制御部１１は、前記判定結果に基づいて第２のコンパレータ２４ｂの出力信号ＯＵＴ２をデータＤとして内部回路に出力する。データＤの終わりを示すＥＯＦ、即ちデータＤのパルス幅の３倍のパルス幅でＨレベルとなる差動信号ＳＳが第２のコンパレータ２４ｂに入力されると、該コンパレータ２４ｂは、Ｈレベルの出力信号ＯＵＴ２を出力し続ける。一方、第１のコンパレータ２４ａに前記差動信号ＳＳの反転された反転差動信号ＸＳＳ、即ちデータＤのパルス幅の３倍のパルス幅でＬレベルとなる反転差動信号ＸＳＳが入力されると、該コンパレータ２４ａは、データＤのパルス幅の３倍のパルス幅でＬレベルのＥＯＦを出力信号ＯＵＴ１として出力する。第１のコンパレータ２４ａからデータＤの終わりを示すＬレベルのＥＯＦが入力されると、制御部１１は、このＬレベルのＥＯＦによってもコネクタ２２にてケーブル２１の極性が反転して接続されていると判定でき、第２のコンパレータ２４ｂから出力されたデータＤをそのまま内部回路に出力する。
【００３６】
従って、前記制御部１１は、第２のコンパレータ２４ｂから出力信号ＯＵＴ２としてＬレベルのリンクパルスＲＰ又はデータＤに含まれるＬレベルのＥＯＦを入力すると、コネクタ２２にてケーブル２１の極性が正常に接続されていると判定し、第１のコンパレータ２４ａから出力されたデータＤをそのまま内部回路に出力する。又、該制御部１１は、第１のコンパレータ２４ａから出力信号ＯＵＴ１としてＬレベルのリンクパルスＲＰ又はデータＤに含まれるＬレベルのＥＯＦを入力すると、コネクタ２２にてケーブル２１の極性が反転して接続されていると判定し、第２のコンパレータ２４ｂから出力されたデータＤをそのまま内部回路に出力する。このようにして、極性自動判定修正装置１０は、コネクタ２２の接続によるケーブル２１と各種コンピュータとの両極反転接続ミスの自動判定・自動修正を行っている。
【００３７】
上記したように、本実施の形態によれば、以下の効果を有する。
（１）前記極性自動判定修正装置１０は、同一構成の第１及び第２のコンパレータ２４ａ，２４ｂよりなり、より対線よりなるケーブル２１を第１のコンパレータ２４ａの接続に対して第２のコンパレータ２４ｂを反転して接続するようにした。このように構成することによって、コネクタ２２にてケーブル２１の極性が反転して接続されていると判定されたときであっても、第２のコンパレータ２４ｂから出力されたデータＤを制御部１１にて反転することなくそのまま内部回路に出力することができる。つまり、制御部１１にはデータＤの反転回路及びその反転回路を制御する回路を設ける必要がなく、極性自動判定修正装置１０の回路面積の縮小につながる。又、上記したように第１及び第２のコンパレータ２４ａ，２４ｂは同一構成であるため、該コンパレータ２４ａ，２４ｂの開発に費やす時間を短縮することができる。
【００３８】
尚、本発明は以下のように変更してもよく、その場合にも同様の作用及び効果が得られる。
（１）上記実施の形態では、第１及び第２のコンパレータ２４ａ，２４ｂは同一構成であってしきい値Ｖｔｈ２  を中間レベルよりも低く設定したが、ともにしきい値を中間レベルよりも高く設定して実施してもよい。このように構成しても、上記した実施の形態と同様に、一方のコンパレータがリンクパルスＰＲ及びデータＤに含まれるＥＯＦを出力し、他方のコンパレータがデータＤを出力する。
【００３９】
（２）上記実施の形態では、ケーブル２１の接続が正常なとき、第１のコンパレータ２４ａの非反転入力端子には信号Ｓが入力されるとともに反転入力端子には信号ＸＳが入力されたが、各入力端子に相補入力信号Ｓ，ＸＳが逆にそれぞれ入力するようにして実施してもよい。
【００４０】
（３）上記実施の形態では、極性自動判定修正装置１０は、ＬＡＮによるネットワーク構成に用いる各種コンピュータに備えたが、ＬＡＮに限定されるものではなく、より対線を使用し差動信号を用いてデータ通信を行うネットワークを構成した各種コンピュータに備えてもよい。
【００４１】
【発明の効果】
以上詳述したように、本発明によれば、回路面積を縮小し、かつ開発コストを低減し得る極性自動判定修正装置を提供することができる。
【図面の簡単な説明】
【図１】本発明の原理説明図である。
【図２】本実施の形態の極性自動判定修正装置の回路図である。
【図３】ケーブルが正常接続されたときの極性自動判定修正装置の動作を示す波形図である。
【図４】ケーブルが反転接続されたときの極性自動判定修正装置の動作を示す波形図である。
【図５】従来の極性自動判定修正装置の回路図である。
【図６】各コンパレータに入力される信号を示す説明図である。
【図７】ケーブルが正常接続されたときの極性自動判定修正装置の動作を示す波形図である。
【図８】各コンパレータに入力される信号を示す説明図である。
【図９】ケーブルが反転接続されたときの極性自動判定修正装置の動作を示す波形図である。
【符号の説明】
１        検出部
２        制御部
３        第１のコンパレータ
４        第２のコンパレータ
ＯＵＴ１  出力信号
ＯＵＴ２  出力信号
Ｓ，ＸＳ  相補入力信号
【図１】
0003631338.tif 000002
【図２】
0003631338.tif 000003
【図３】
0003631338.tif 000004
【図４】
0003631338.tif 000005
【図５】
0003631338.tif 000006
【図６】
0003631338.tif 000007
【図７】
0003631338.tif 000008
【図８】
0003631338.tif 000009
【図９】
0003631338.tif 000010